【手続補正書】
【提出日】平成17年5月23日(2005.5.23)
【手続補正１】
【補正対象書類名】特許請求の範囲
【補正対象項目名】全文
【補正方法】変更
【補正の内容】
【特許請求の範囲】
【請求項１】
仮名文字列を入力して、該入力仮名文字列を仮名漢字文字列に変換して出力する仮名漢字変換装置であって、
検索可能に配列された複数のレコードを含む辞書データを記憶する記憶手段を備え、
各前記レコードは、読みを示す読み仮名文字列と、前記読みが充てられる漢字文字列と、該漢字文字列に接尾辞の関係に従って接続される複数種類の接続漢字文字列と、前記漢字文字列の文言の内容に関連した分野を指示する分野情報とを予め対応付けて含み、
前記辞書データは、複数種類の前記分野情報毎に、予め分類された、前記漢字文字列とともに用いられる漢字列である複数の分野漢字列をさらに含み、
前記漢字文字列は２つの漢字からなり、前記接続漢字文字列および前記分野漢字列は１つまたは２つの漢字からなり、
前記入力仮名文字列のうち変換開始位置以降の可能な部分仮名文字列の各々について、前記辞書データに基づき対応する変換後部分文字列候補を生成する候補生成手段をさらに備え、
前記候補生成手段は、
前記変換開始位置から連続した前記部分仮名文字列のそれぞれについて、前記辞書データから、該部分仮名文字列に一致する前記読み仮名文字列に対応する複数の前記漢字文字列を検索する検索手段と、
前記検索手段より検索された各前記漢字文字列に、対応する前記接尾辞の関係および前記分野情報に従って、対応する前記接続漢字文字列または前記分野漢字列を接続して、接続後漢字文字列を生成して前記変換後部分文字列候補として出力する接続後文字列候補生成手段と、
前記検索手段より検索された各前記漢字文字列に、助詞または送り仮名を付した仮名漢字文字列を生成して前記変換後部分文字列候補として出力する仮名漢字文字列候補生成手段と、を含み、
前記候補生成手段は、
前記変換開始位置を、最初は前記入力仮名文字列の先頭仮名文字の位置とし、以降は、前記変換開始位置を、前記入力仮名文字列における生成された各前記変換後部分文字列候補についての末尾位置の次の仮名文字の位置として、前記入力仮名文字列中の全ての前記部分仮名文字列について、前記変換後部分文字列候補の生成を繰返し、
さらに、前記入力仮名文字列の全ての前記部分仮名文字列について、前記候補生成手段による前記変換後部分文字列候補の生成が終了した場合において、生成された前記変換後部分文字列候補を相互に接続して得られる文字列候補のうち、その読みを示す読み仮名文字列と、前記入力仮名文字列とを先頭仮名文字から順に照合して、照合一致した仮名文字が連続してなる仮名文字列が最長である文字列候補を出力する出力手段を備える、仮名漢字変換装置。
【請求項２】
前記接続後文字列候補生成手段は、前記接尾辞の関係および前記分野情報のうち、前記接尾辞の関係に従う前記接続漢字文字列の接続を優先して行なうことを特徴とする、請求項１に記載の仮名漢字変換装置。
【請求項３】
前記接続後文字列候補生成手段において、前記検索手段により検索された前記漢字文字列には、前記接続漢字文字列または前記分野漢字列として、２つの漢字からなるものが優先して接続されることを特徴とする、請求項１に記載の仮名漢字変換装置。
【手続補正２】
【補正対象書類名】明細書
【補正対象項目名】０００４
【補正方法】変更
【補正の内容】
【０００４】
この発明のある局面に係る仮名漢字変換装置は、仮名文字列を入力して、該入力仮名文字列を仮名漢字文字列に変換して出力する装置であって、
検索可能に配列された複数のレコードを含む辞書データを記憶する記憶手段を備え、
各前記レコードは、読みを示す読み仮名文字列と、前記読みが充てられる漢字文字列と、該漢字文字列に接尾辞の関係に従って接続される複数種類の接続漢字文字列と、前記漢字文字列の文言の内容に関連した分野を指示する分野情報とを予め対応付けて含み、
前記辞書データは、複数種類の前記分野情報毎に、予め分類された、前記漢字文字列とともに用いられる漢字列である複数の分野漢字列をさらに含み、
前記漢字文字列は２つの漢字からなり、前記接続漢字文字列および前記分野漢字列は１つまたは２つの漢字からなり、
前記入力仮名文字列のうち変換開始位置以降の可能な部分仮名文字列の各々について、前記辞書データに基づき対応する変換後部分文字列候補を生成する候補生成手段をさらに備え、
前記候補生成手段は、
前記変換開始位置から連続した前記部分仮名文字列のそれぞれについて、前記辞書データから、該部分仮名文字列に一致する前記読み仮名文字列に対応する複数の前記漢字文字列を検索する検索手段と、
前記検索手段より検索された各前記漢字文字列に、対応する前記接尾辞の関係および前記分野情報に従って、対応する前記接続漢字文字列または前記分野漢字列を接続して、接続後漢字文字列を生成して前記変換後部分文字列候補として出力する接続後文字列候補生成手段と、
前記検索手段より検索された各前記漢字文字列に、助詞または送り仮名を付した仮名漢字文字列を生成して前記変換後部分文字列候補として出力する仮名漢字文字列候補生成手段と、を含み、
前記候補生成手段は、
前記変換開始位置を、最初は前記入力仮名文字列の先頭仮名文字の位置とし、以降は、前記変換開始位置を、前記入力仮名文字列における生成された各前記変換後部分文字列候補についての末尾位置の次の仮名文字の位置として、前記入力仮名文字列中の全ての前記部分仮名文字列について、前記変換後部分文字列候補の生成を繰返し、
さらに、前記入力仮名文字列の全ての前記部分仮名文字列について、前記候補生成手段による前記変換後部分文字列候補の生成が終了した場合において、生成された前記変換後部分文字列候補を相互に接続して得られる文字列候補のうち、その読みを示す読み仮名文字列と、前記入力仮名文字列とを先頭仮名文字から順に照合して、照合一致した仮名文字が連続してなる仮名文字列が最長である文字列候補を出力する出力手段を備える。
好ましくは、接続後文字列候補生成手段は、前記接尾辞の関係および前記分野情報のうち、前記接尾辞の関係に従う前記接続漢字文字列の接続を優先して行なうことを特徴とする。
好ましくは、接続後文字列候補生成手段において、前記検索手段により検索された前記漢字文字列には、前記接続漢字文字列または前記分野漢字列として、２つの漢字からなるものが優先して接続されることを特徴とする。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００６８
【補正方法】変更
【補正の内容】
【００６８】
ｂ：漢字文字列が名詞であれば、その変化を決定する。この漢字文字列“戦略”は、それにあたらない。
【手続補正３２】
【補正対象書類名】明細書
【補正対象項目名】００６９
【補正方法】変更
【補正の内容】
【００６９】
ｃ：漢字文字列が名詞の場合には、次に最大な仮名長を持つ名詞を辞書１１１より検索して、その変化長を求める。これにより、たとえば“戦略”＋“適用”が求められる。